(57)【特許請求の範囲】
【請求項１】
内部機器を収納するとともに光ディスクを収納可能とするフレームと、
前記光ディスクが回転可能に載置されるトレイと、
前記トレイの両側部と前記フレームとの間に設けられて、前記光ディスクが着脱可能な載置位置と前記光ディスクが前記フレーム内に収納される収納位置との間で前記トレイを移動可能に支持するレールと、
前記収納位置にある前記トレイを拘束および解放するトレイ拘束解放手段と、
前記トレイ内に設けられて、前記トレイ拘束解放手段の前記トレイの解放動作に連動して、前記光ディスクに押圧力を付勢するとともに、前記トレイ拘束解放手段の前記トレイの拘束動作に連動して前記押圧力を除去する光ディスク回転抑制手段と、を備え、
前記光ディスク回転抑制手段は、その両側面に回転する際の回転軸となる突起部と、前記光ディスクに対して押圧力を発生する方向に前記光ディスク回転抑制手段を付勢する光ディスク回転抑制部材押圧スプリングと、前記光ディスク回転抑制部材押圧スプリングの付勢力と反対方向に前記光ディスク回転抑制手段を付勢する固定解除部材と、を有し、
前記光ディスク回転抑制手段は、
前記トレイ拘束解放手段が前記トレイを拘束しているときに前記固定解除部材と係合し前記光ディスク回転抑制部材押圧スプリングの付勢力を規制して前記光ディスクを押圧せず、
前記トレイ拘束解放手段が前記トレイを解放するときに前記固定解除部材との係合を解除して前記光ディスク回転抑制部材押圧スプリングの付勢力を用いて前記光ディスクを押圧することを特徴とする光ディスク装置。
【発明の詳細な説明】
【技術分野】
【０００１】
この発明は、光ディスクを再生及び記録させる光ディスク装置に関するものである。
【背景技術】
【０００２】
ＭＯ、ＰＤ、ＣＤ、ＣＤ−ＲＯＭ、ＣＤ−Ｒ、ＣＤ−ＲＷ、ＤＶＤ−ＲＯＭ、ＤＶＤ−ＲＡＭ、±ＲＷ、±Ｒ等の光ディスク媒体に対して、再生及び記録する装置としてＣＤ−ＲＯＭドライブ装置、ＰＤドライブ装置などのタイプが存在するが、本発明においてはこれら全体を包括する表現として光ディスク装置と呼ぶ。
【０００３】
従来、光ディスク装置は、装置の小型化、薄型化が進み携帯型のパーソナルコンピュータ（以下、ＰＣと言う）に搭載されることがある。また、近年、さらに小型化、薄型化のノートブック型のＰＣに搭載されることも多くなっている。
【０００４】
これはコンピュータで使用するソフトウェアの大容量化、また雑誌媒体などから配布されるメディアとして安価であるＣＤ−ＲＯＭが多く採用されていることも要因の一つとなっている。それに伴い、光ディスクドライブのコンピュータへの搭載は必然となっているのが現状である（例えば、特許文献１参照）。
【０００５】
上述、（特許文献１）に示されたような従来のディスク装置の一例を説明する。ノートブック型及び薄型デスクトップＰＣ（ディスプレイ本体一体型含む）に用いられる全高１２．７ｍｍの光ディスクドライブの構造について説明する。従来、以下の２つの方式が提案されている。
【０００６】
１つの方式としては、ユーザが自ら光ディスクを持ち、光ピックアップの構成部品であるターンテーブルに直接光ディスクを取り付けた後に、ターンテーブルを含むトレイを自身の手によりドライブ筐体内部へ押し込むことで、光ディスクの再生、記録が可能状態となるドロア方式である。
【０００７】
また、他の方式としては、光ディスクを装置の前面まで運び、その光ディスクを装置の前面に設けられたフロントベゼルと呼ばれるカバーに設けられたスリットに挿入し、所定の位置まで装置内部に挿入すると、装置内部に設けられたローラ等の搬入機構により光ディスクを装置の内部すなわちターンテーブルまで自動的に吸い込んでいくスロットローディングと呼ばれる方式がある。
【０００８】
市場においては圧倒的にドロアタイプが優位であり、その市場の殆どを占めている状態である。このドロア方式において、トレイと、光ディスク装置とＰＣを接続するための基板を電気的に接続する方法として、Ｕ字型のフレキシブル基板を用いている。
【０００９】
図１７は従来のドロア方式のディスク装置を示す分解斜視図である。図１７において、１００は、ボトムカバー１０６ｂの一側の端部に設けられ、スポンジ等の柔軟性に富む素材で作製され、光ディスク２７に接触することにより、光ディスク２７の回転を停止する光ディスク回転抑制部材である。１０１は光ディスク２７が回転可能に載置されるトレイである。１０２はスピンドルモータ、１０３はターンテーブル、１０４はフロントベゼル、１０５はトレイ１０１とフレームとを連結するレール、１０６ａは上部フレームを構成し、上方からの荷重等から光ディスク装置の保護を行うアッパーカバー、１０６ｂは下部フレームを構成し、トレイ１０１、レール１０５等を支持するボトムカバー、１０７はボトムカバー１０６ｂに取り付けられ、レール１０５とトレイ１０１の摺動を円滑に行うレールガイド、１０８はこの例においてはボトムカバー１０６ｂに取り付けられる主基板、１０９は主基板１０８とトレイ１０１に取り付けられた光ディスク２７に記録された情報を読みとるためのピックアップモジュールとの電気的な接合を行うための副基板、１１０は副基板１０９と主基板１０８の電気的な接続を行うためのフレキシブル基板である。
【００１０】
このような構成の従来の光ディスク装置においては、トレイ１０１が図１７中の矢印で示すように移動してフレーム内の収納位置に収納される際、光ディスク回転抑制部材１００が光ディスク２７に接触することにより、光ディスク２７の回転が停止する。
【００１１】
また、図１８（ａ）および図１８（ｂ）は近年主に各社で用いられているトレイをフレームに保持する機構の部分的な拡大図である。図１８（ａ）がラッチングソレノイド１１１によりトレイ１０１が固定（拘束）された状態である。図１８（ｂ）はラッチングソレノイド１１１に通電後、固定解除スプリング１１６によりトレイ１０１の固定（拘束）が解除された状態を示す図である。１１１は永久磁石を磁気回路に使用して吸着状態での保持は永久磁石の吸着力で行うラッチングソレノイドである。
【００１２】
１１１ａはプランジャ、１１１ｂはコイル、１１１ｃは永久磁石である。１１２はボトムカバー１０６ｂ（図１７）に取り付けられた固定ピン１１３と係合して、トレイ１０１をフレーム内部に保持する固定手段、１１４は固定手段１１２に回転方向の荷重を印加するための固定手段回動スプリング、１１５はラッチングソレノイド１１１に電流が印加された際にプランジャ１１１ａを、図中ｈ方向に引っぱることにより、トレイ１０１の拘束を解除する固定解除部材、１１６はプランジャ１１１ａを引っ張る力を固定解除部材１１５に印加する固定解除スプリング、１１７はトレイ１０１をボトムカバー１０６ｂに挿入する際に固定ピン１１３と当接することにより固定解除部材１１５を固定位置に復帰するための復帰部材、１１８は復帰部材１１７がトレイ１０１をボトムカバー１０６ｂに挿入する際に固定ピン１１３と正確に当接する位置に留まる様に保持する保持スプリング、１１９はＰＣの電源が切られており、光ディスク装置に電圧が供給されない場合、および、光ディスク装置の故障等によりトレイ１０１をフレームから取り出すことが出来なくなった場合に、ピン等の部材を装置前面から挿入することによりこの部材を回転させ、カム部が固定手段１１２のカム部を押すことによりトレイ１０１のフレーム内部への固定を解放する強制イジェクト部材である。
【００１３】
図１８（ａ）の状態でコイル１１１ｂに通電すると、永久磁石１１１ｃの吸着力をキャンセルする磁界が発生し、固定解除スプリング１１６によりプランジャ１１１ａが図中ｈ方向へ移動し、同時に固定解除部材１１５が図中ｊ方向に回転する。そして固定解除部材１１５が固定手段１１２に回転方向の動力を与えることにより、トレイ１０１の拘束が解除される。次に、トレイ１０１が光ディスクを装着後、ボトムカバー１０６ｂに挿入される際にはボトムカバー上に取り付けられている固定ピン１１３が相対的に図中ｌ方向に移動し、復帰部材１１７と当接することにより復帰部材１１７は図中ｋ方向に回転し、復帰部材１１７と嵌合する固定解除部材１１５を解除時と逆方向に回転させ、それに応じてプランジャ１１１ａがｈ方向と逆方向に移動し、１１１ｃの永久磁石に吸着し、トレイ１０１の拘束が完了する。
【特許文献１】特開２００３−２９６９９７号公報
【発明の開示】
【発明が解決しようとする課題】
【００１４】
現在、携帯性を重視するノートブック型コンピュータにおいて採用されている光ディスク装置においては、その全高が１２．７ｍｍのものが多く採用されており、最近では更に携帯性を重視した薄型、軽量のノートブック型コンピュータに全高９．５ｍｍのものが採用され始めている。また、今後はノートブック型コンピュータの普及により一層の薄型化、軽量化が予想されるため、それに伴い、光ディスク装置にもさらなる薄型化、軽量化が要求されると思われる。また一方では、ドライブの多機能化により、光学基台及びそれを支持、搬送するピックアップモジュールの大型化が進んでおり、光ディスク装置の筐体内部におけるトレイ及び作動手段に割り当てることが出来る領域は減少する一方である。
【００１５】
このようなことから、光ディスク装置の全高を９．５ｍｍ以下に薄型化する場合、現状のノートＰＣ内蔵用光ディスク装置のフォームファクタとなっている。フレーム下部を取り囲む板金部材の途中に段差を設ける構造を採用することは事実上不可能であると考えられる。
【００１６】
従来の全高１２．７ｍｍ及び全高９．５ｍｍの光ディスク装置では、トレイとフレームとを連結するレールが、フレーム左端とフレーム途中に設けられた段差部に位置している。そのため、フレーム右端部においては光ディスクが回転する部分以外は余剰空間となっており、この空間を利用することにより、トレイがフレームから取り出される際に光ディスクの端面が直接接触して光ディスクの回転を停止させる光ディスク回転抑制部材１００を配置することが出来ていた（図１７）。
【００１７】
これに対してさらに薄型の光ディスク装置においては、トレイとフレームを連結するレールはトレイの左右両端に位置することとなり、レール及びトレイに一定の強度を確保することを考慮すると、トレイをフレームから取り出した際に、光ディスクが回転した状態で排出されることを防ぐ目的で取り付ける光ディスク回転抑制部材１００を、全高１２．７ｍｍ及び全高９．５ｍｍの光ディスク装置と同様の位置に設置することができない。
【００１８】
また、アッパーカバー等に同様な役割を持つ部材を構成すると、光ディスクの回転を防止する部材及びその部材を搬送手段の移動に合わせて移動させる構造等が必要となるため、光ディスク装置全体の高さを低くすることができない。
【００１９】
この発明はこのような課題を解決するためになされたもので、従来の装置と比較して厚さを薄くでき、具体的には、９．５ｍｍ厚以下の全高とすることができる光ディスク装置を提供することを目的とする。
【課題を解決するための手段】
【００２０】
上述の課題を解決するために、この発明に係る光ディスク装置は、内部機器を収納するとともに光ディスクを収納可能とするフレームと、光ディスクが回転可能に載置されるトレイと、光ディスクが着脱可能な載置位置と光ディスクがフレーム内に収納される収納位置との間でトレイを移動可能に支持するレールと、収納位置にあるトレイを拘束および解放するトレイ拘束解放手段と、トレイ拘束解放手段のトレイの解放動作に連動して、光ディスクに押圧力を付勢するとともに、トレイ拘束解放手段のトレイの拘束動作に連動して押圧力を除去する光ディスク回転抑制手段と、を備え、光ディスク回転抑制手段は、その両側面に回転する際の回転軸となる突起部と、光ディスクに対して押圧力を発生する方向に光ディスク回転抑制手段を付勢する光ディスク回転抑制部材押圧スプリングと、光ディスク回転抑制部材押圧スプリングの付勢力と反対方向に光ディスク回転抑制手段を付勢する固定解除部材と、を有し、光ディスク回転抑制手段は、トレイ拘束解放手段がトレイを拘束しているときに固定解除部材と係合し光ディスク回転抑制部材押圧スプリングの付勢力を規制して光ディスクを押圧せず、トレイ拘束解放手段がトレイを解放するときに固定解除部材との係合を解除して光ディスク回転抑制部材押圧スプリングの付勢力を用いて光ディスクを押圧することを特徴とする光ディスク装置である。
【００２１】
そして、トレイを移動可能に支持するレールは、トレイの両側部に設けられており、また光ディスク回転抑制手段は、トレイ拘束解放手段と連動するとともに、トレイ内に設けられている。この構成により、光ディスク装置の全高を大幅に薄型化することが可能であり、具体的には、全高を９．５ｍｍ厚以下とすることも可能な光ディスク装置を提供することができる。
【発明の効果】
【００２２】
以上のように、この発明に係る光ディスク装置は、光ディスク回転抑制手段がトレイ内部に配設され、フレームに対してトレイを移動可能に支持するレールを、トレイおよび両側部に配設することにより、安全性を確保した全高９．５ｍｍ厚以下の光ディスク装置を実現することが可能となる。
【発明を実施するための最良の形態】
【００２３】
本発明の請求項１の光ディスク装置は、内部機器を収納するとともに光ディスクを収納可能とするフレームと、光ディスクが回転可能に載置されるトレイと、トレイの両側部とフレームとの間に設けられて、光ディスクが着脱可能な載置位置と光ディスクがフレーム内に収納される収納位置との間でトレイを移動可能に支持するレールと、収納位置にあるトレイを拘束および解放するトレイ拘束解放手段と、トレイ内に設けられて、トレイ拘束解放手段のトレイの解放動作に連動して、光ディスクに押圧力を付勢するとともに、トレイ拘束解放手段のトレイの拘束動作に連動して押圧力を除去する光ディスク回転抑制手段と、を備え、光ディスク回転抑制手段は、その両側面に回転する際の回転軸となる突起部と、光ディスクに対して押圧力を発生する方向に光ディスク回転抑制手段を付勢する光ディスク回転抑制部材押圧スプリングと、光ディスク回転抑制部材押圧スプリングの付勢力と反対方向に光ディスク回転抑制手段を付勢する固定解除部材と、を有し、光ディスク回転抑制手段は、トレイ拘束解放手段がトレイを拘束しているときに固定解除部材と係合し光ディスク回転抑制部材押圧スプリングの付勢力を規制して光ディスクを押圧せず、トレイ拘束解放手段がトレイを解放するときに固定解除部材との係合を解除して光ディスク回転抑制部材押圧スプリングの付勢力を用いて光ディスクを押圧することを特徴とする。この構成により、トレイを移動可能に支持するレールをトレイの両側部に設けることができ、また光ディスク回転抑制手段は、トレイ拘束解放手段と連動するとともに、トレイ内に設けられているので、光ディスク装置の全高を大幅に薄型になるという作用を有する。
【００３６】
以下、本発明を実施するための最良の形態を、図面を参照しつつ更に具体的に説明する。ここで、添付図面において同一の部材には同一の符号を付しており、また、重複した説明は省略されている。なお、ここでの説明は本発明が実施される最良の形態であることから、本発明は当該形態に限定される物ではない。
【００３７】
以下、本発明の実施の形態について、図を用いて説明する。
【００３８】
（実施の形態１）
図１は本発明の実施の形態１における光ディスク装置の分解斜視図である。図２は図１の光ディスク装置の裏面側から見た分解斜視図である。図３は光ディスク回転抑制手段およびトレイ拘束解放手段の部分の拡大図である。図４は光ディスク回転抑制手段およびトレイ拘束解放手段の分解斜視図である。図５（ａ）および図５（ｂ）は光ディスク回転抑制手段およびトレイ拘束解放手段の動作を説明する為の図であり、図５（ａ）がラッチングソレノイド２６によりトレイ５が拘束された状態であり、図５（ｂ）はラッチングソレノイド２６に通電後、固定解除スプリング２４により拘束が解除された状態を示す図である。図６および図７は光ディスク回転抑制手段の動作を説明する図３のＸ−Ｘ線に沿う矢視断面図である。図６は図５（ａ）の状態の矢視断面図であり、図７は図５（ｂ）の状態の矢視断面図である。
【００３９】
図１及び図２において、１は装置の上部を覆うアッパーカバー、２は装置の基材となるフレームであって、内部には内部機器が収納されているとともに光ディスクを収納するスペースが形成されている。
【００４０】
３は主基板と外部のＰＣを接続する中継基板の接続を行うためのフレキシブル基板、４はトレイ５の両側部とフレーム２との間に設けられて、フレーム２に対してトレイ５を移動可能に支持するレール、５は光ディスクが回転可能に載置されるトレイであって、レール４に案内されて、フレーム２に対して引出しのように進退動作をして、光ディスクを着脱可能とする載置位置と光ディスクがフレーム２内に収納される収納位置との間を移動するようにされている。
【００４１】
６は光ディスクを回転させるスピンドルモータ、７は光ディスクに記録された情報を読み込む、もしくは情報を光ディスクに記録するための光ピックアップ、８は装置前面に取り付けられ、ノート型ＰＣの表面に露出して、ノート型ＰＣのフレームの一部をなすベゼル、９は使用者がトレイ５を装置から引き出す際に、トレイ固定手段を解放する指示を行うイジェクトボタン、１０はスピンドルモータ６、光ピックアップ７等を含み、光ピックアップ７を光ディスクの法線方向に移動しながら光ディスクの情報を読みとる、もしくは書きこむ機能を有するピックアップモジュール、１１はトレイ５をフレーム２内に留める際のフックとなる固定ピン、１２はトレイ５に光ディスクを装着／着脱する際にフレーム２からトレイ５を押し出すためのトレイ排出機構、１３はトレイ５の下部を保護するための保護カバー、１４は電気基板（主基板）、１５はトレイ５の下方からトレイ５に取り付けられ、トレイ５内部のピックアップモジュール１０及びその他の部品を保護する役割を持つトレイカバーである。
【００４２】
図３において、１６は装置が動作している状態でトレイ５をフレーム２から取り出す際に、光ディスクが回転した状態で排出されることを防ぐ押圧部材である光ディスク回転抑制部材、１７は光ディスク回転抑制部材１６に、光ディスクに対する押圧力を印加するための光ディスク回転抑制部材押圧スプリング、１８はトレイ５に光ディスク回転抑制部材押圧スプリング１７を固定する押圧スプリング固定部材、２６はラッチングソレノイドと呼ばれるソレノイドであって、永久磁石を磁気回路に使用し、吸着状態での保持は永久磁石の吸着力で行う作動装置である。ラッチングソレノイド２６において、２６ａはプランジャ、２６ｂはコイル、２６ｃは永久磁石である。
【００４３】
２１はボトムカバーに立設された固定ピン１１と係合しトレイ５をフレーム２内部に固定（拘束）しておくための固定手段、２２は固定手段２１に回転方向の荷重を印加するための固定手段回動（付勢）スプリング、１９はラッチングソレノイド２６に電流が印加された際にプランジャ２６ａを図５（ａ）中Ｅ方向に引っぱることによりトレイ５の拘束を解除する固定解除部材、２４は固定解除部材１９にプランジャ２６ａを図５（ａ）中Ｅ方向へ引っ張る力を印加するための固定解除スプリング、２０はトレイ５をフレームに挿入する際に固定ピン１１と当接することにより固定解除部材１９を固定位置に復帰するための復帰部材、２３は復帰部材２０がトレイ５をフレーム２に挿入する際に固定ピン１１と正確に当接する位置に留まるように保持する保持スプリング、２５はシーケンス的なトレイ搬入搬出の動作の途中で、不測の電源断などが発生し、トレイ５をフレーム２から取り出すことが出来なくなる操作不能状態となった際に、ピン等の部材を装置前面から挿入することにより回転させ、カム部２５ａのカム部分が固定手段２１のカム部２１ａを押すことによりトレイ５のフレーム２内部への固定を解放する強制イジェクト部材である。
【００４４】
図４において、光ディスク回転抑制部材１６は、その両側面に回転する際の回転軸となる突起部１６ａをもち、その突起はトレイ５に設けられた溝５ａの内面を回転可能な状態で光ディスク回転抑制部材押圧スプリング１７及び押圧スプリング固定部材１８により他の部材による規制が無い状態で図４中のＢ方向に回転する状態で取り付けられている。光ディスク回転抑制部材１６と光ディスク回転抑制部材押圧スプリング１７は図５（ａ）中のＤ部で接触しており。図５（ｂ）中のＧ方向に付勢されている。また、固定解除部材１９はトレイ５に設けられた回転軸に回動可能な状態で取り付けられており、固定解除部材の嵌合部１９ａはラッチングソレノイド２６のプランジャ２６ａの孔と嵌合する形で取り付けられている。
【００４５】
図６および図７において、図６はトレイ５がフレーム内部にある状態、すなわち、トレイ拘束解放手段により拘束された状態を示す図であり、図５（ａ）と対応する。また、図７はトレイ５がトレイ拘束解放手段から解放された状態を示す図であり、図５（ｂ）と対応する。なお、図６および図７中、２７はトレイ５上に載置された光ディスクである。
【００４６】
ここで、固定解除部材１９、復帰部材２０、固定手段２１、固定手段回動（付勢）スプリング２２、保持スプリング２３、固定解除スプリング２４およびラッチングソレノイド２６は、収納位置にあるトレイ５を拘束および解放するトレイ拘束解放手段を構成している。
【００４７】
また、押圧部材である光ディスク回転抑制部材１６、光ディスク回転抑制部材押圧スプリング１７、押圧スプリング固定部材１８、およびトレイ５に設けられた溝５ａは、トレイ５内に設けられて、トレイ拘束解放手段のトレイ５の搬出動作に連動して、光ディスク２７に押圧力を付勢するとともに、トレイ拘束解放手段のトレイの搬入動作に連動して押圧力を開放する光ディスク回転抑制手段を構成している。
【００４８】
以下、図３から図７に沿って光ディスク装置の動作を詳細に説明する。図５（ａ）において、ラッチングソレノイド２６のプランジャ２６ａは永久磁石２６ｃにより保持されており、それに伴い、嵌合している固定解除部材１９も拘束された状態である。
【００４９】
また、固定手段２１は固定手段回動（付勢）スプリング２２により固定ピン１１に付勢されており、トレイ５はフレーム内部の収納位置に拘束された状態である。この状態において、固定解除部材１９のカム部１９ｂが、光ディスク回転抑制部材１６のカム部１６ｂに対して、光ディスク回転抑制部材１６が図６及び図７中の光ディスク２７に対して押圧力を発生しない方向、すなわち図４中のＣ方向に回動する力を付勢しており、光ディスク回転抑制部材１６が光ディスク２７を押圧する方向に付勢力を発生する光ディスク回転抑制部材押圧スプリング１７と釣り合った状態となっている。
【００５０】
この状態において、光ディスク回転抑制部材１６が、光ディスク２７に接触してないため、光ディスク２７は、スピンドルモータ６により回転することが可能である。これにより、光ディスク２７の再生及び書き込み動作を行うことが可能である。
【００５１】
この状態から、使用者が光ディスク２７の装填、もしくは交換を行う場合にはイジェクトボタン９を押すこととなる。この動作により、パーソナルコンピュータから光ディスク装置に、主基板１４を介してラッチングソレノイド２６に電力が供給され、コイル２６ｂに永久磁石２６ｃの磁力を打ち消す方向の磁力が発生する。
【００５２】
するとプランジャ２６ａが固定解除スプリング２４により、図５（ｂ）中のＨ方向に引っ張られ、合わせてプランジャ２６ａと嵌合している固定解除部材１９がＦ方向に回動し、固定解除部材１９の嵌合部１９ａが固定手段２１の当接部２１ｂを押すことにより図５（ｂ）中のＩ方向へ回動し、トレイ５の固定ピン１１への拘束が解除される。
【００５３】
この動作に伴い、固定解除部材１９のカム部１９ｂと光ディスク回転抑制部材１６のカム部１６ａ部の係合が解放され、光ディスク回転抑制部材１６が光ディスク回転抑制部材押圧スプリング１７によって図４中Ｂ方向に回動し、図７に示す様に光ディスク回転抑制部材１６の接触部１６ｃが光ディスク２７の端面に接触し、光ディスク２７の回転を強制的に停止させる。その後、トレイ５は図示しないトレイ移動手段により、フレーム２から排出されて、光ディスク２７が着脱可能な載置位置に向かう。
【００５４】
また、光ディスク回転抑制部材１６は、傾斜部１６ｄ部に傾斜が設けられており、載置位置にて、光ディスク２７をトレイ５の内部のスピンドルモータ６に取り付ける際に、光ディスク２７が光ディスク回転抑制部材１６に当接した場合でも、光ディスク回転抑制部材１６は図４中Ｃ方向に回動するため、スムーズに光ディスク２７を取り付けることが可能とされている。
【００５５】
光ディスク２７を装着後、トレイ５をフレーム２内部に挿入する。すなわち、光ディスク装置を動作可能な状態にする場合、トレイ５がフレーム２から排出された状態では固定ピン１１は図５（ｂ）中の固定ピン１１ａの位置にあり、トレイ５がフレーム２内部に移動する途中で固定ピン１１ａが復帰部材２０の当接部２０ａと当接し図５（ｂ）中Ｊ方向へ回動することにより、固定解除部材１９を上記で説明した固定解除部材１９を図５（ｂ）中Ｆ方向へ押し、プランジャ２６ａが永久磁石２６ｃにより固定される位置まで達した後、固定ピン１１と復帰部材２０の接触は終了する。この動作において固定解除部材１９の嵌合部１９ａの当接部２１ｂに対する付勢力が解放されるため、固定部材２１は固定手段回動（付勢）スプリング２２により図５（ｂ）中Ｉと逆方向に回転し、固定ピン１１と接触した状態となり、トレイ５の収納位置での固定が完了する。
【００５６】
本実施の形態において、光ディスク回転抑制部材１６は、回転軸１６ａを持ち、トレイ５に設けられた溝５ａを軸として回動する機構としたが、光ディスク２７の端面に対し、水平方向に移動する機構も同様に構成することが可能である。
【００５７】
（実施の形態２）
図８（ａ）および図８（ｂ）は本発明の実施の形態２における光ディスク装置の光ディスク回転抑制手段およびトレイ拘束解放手段の動作を説明する為の図であり、図８（ａ）がラッチングソレノイド２６によりトレイ５が拘束された状態であり、図８（ｂ）はラッチングソレノイド２６に通電後、固定解除スプリング２４により拘束が解除された状態を示す図である。
【００５８】
図８（ａ）および図８（ｂ）において、固定解除部材１９およびトレイ５、強制イジェクトピン２９以外のすべての部品は共通である。３０は固定解除部材１９が一定位置以上に回転しないようにするためにトレイ５に一体化で設けられた、もしくは別部品でトレイ５に取り付けられた回転規制ピンである。固定解除部材１９の被当接部１９ｃは、強制イジェクトピン２９がトレイ前方から挿入された際に固定解除部材１９を図８（ｂ）中のＬ方向に回動させるために固定解除手段と一体で設けられたカム部である。
【００５９】
実施の形態１でも説明したように、シーケンス的なトレイ搬入搬出の動作の途中で、不測の電源断などが発生し、トレイ５をフレーム２から取り出すことが出来なくなる操作不能状態となった際には、強制的にトレイ５を取り出すために、トレイ５の前方から強制イジェクトピン２９を、図中Ｋ方向へ挿入すると、強制イジェクトピン２９は固定解除部材１９の被当接部１９ｃに当接する。そのまま、図８（ａ）の状態から図８（ｂ）の状態まで強制イジェクトピン２９をＫ方向に押し込むことにより、固定解除部材１９は図８（ｂ）中Ｌ方向に回転し、固定解除部材１９と嵌合して取り付けられているプランジャ２６ａも合わせて図８（ｂ）中Ｍ方向へ引っ張られ、永久磁石２６ｃとプランジャ２６ａの間に発生する吸着力から固定解除スプリング２４の荷重を引いた力を超えたところでプランジャ２６ａの永久磁石２６ｃによる固定が解放され、実施の形態で説明したようにトレイ５のフレームへの拘束が解除されることになる。光ディスク回転抑制部材１６の動作については実施の形態１に説明した物と同様である。また、固定解放状態から固定状態への復帰の動作についても実施の形態１に説明した動作と同様であるため、ここでは詳細な説明は割愛することとする。
【００６０】
以上のように、トレイ内に光ディスク回転抑制手段を配置することにより９．５ｍｍ以下の高さを持ち、且つ光ディスク装置に異常が発生し、強制的に光ディスクを取り出す場合でも安全に取り出すことが出来る光ディスク装置を提供することが出来る。
【００６１】
（実施の形態３）
本実施の形態３において、光ディスク装置全体の基本的な構成については前記実施の形態１に説明した物と同様とする。従って、光ディスク装置の分解斜視図については前記実施の形態１における図１を、光ディスク装置の裏面側から見た分解斜視図については前記実施の形態１における図２をそれぞれ用いる。
【００６２】
図９は本発明の実施の形態３における光ディスク回転抑制手段およびトレイ拘束解放手段の動作を説明するための図であり、ラッチングソレノイド５６によりトレイ５が拘束された状態を示す図である。図１０は図９からイジェクトレバー５５を除いた図、図１１は図１０の斜視図、図１２は本発明の実施の形態３における光ディスク回転抑制部材の斜視図である。
【００６３】
図１３は本発明の実施の形態３における光ディスク回転抑制手段およびトレイ拘束解放手段の動作を説明するための図であり、ラッチングソレノイド５６に通電後または強制イジェクト後、固定解除スプリング５４により拘束が解除された状態を示す図である。図１４は本発明の実施の形態３における光ディスク回転抑制手段およびトレイ拘束解放手段の動作を説明するための図であり、トレイ５をフレーム２内部に挿入する途中の一状態を示す図である。図１５は光ディスク回転抑制手段の動作を説明するための図であり、図９〜図１１の裏面から見た図である。図１６は光ディスク回転抑制手段の動作を説明するための図であり、図１３の裏面から見た図である。なお、図１５および図１６中、５７はトレイ５上に載置された光ディスクである。
【００６４】
図９〜図１６において、４６は装置が動作している状態でトレイ５をフレーム２から取り出す際に、光ディスクが回転した状態で排出されることを防ぐ押圧部材である光ディスク回転抑制部材、４７は光ディスク回転抑制部材４６に、光ディスクに対する押圧力を印加するための光ディスク回転抑制部材押圧スプリング、５６はラッチングソレノイドと呼ばれるソレノイドであって、永久磁石を磁気回路に使用し、吸着状態での保持は永久磁石の吸着力で行う作動装置である。このラッチングソレノイド５６は図１におけるイジェクトボタン９が押された時に電気的な制御を介して動作する。ラッチングソレノイド５６において、５６ａはプランジャ、５６ｂはコイル、５６ｃは永久磁石である。
【００６５】
５１はボトムカバーに立設された固定ピン１１と図１０中の位置１１ｃで係合しトレイ５をフレーム２内部に固定（拘束）しておくための固定手段、５２は固定手段５１に回転方向の荷重を印加するための固定手段回動（付勢）スプリング、４９はラッチングソレノイド５６に電流が印加された際にプランジャ５６ａを図９、図１０および図１３中のN方向に引っぱることによりトレイ５の拘束を解除する固定解除部材、５４は固定解除部材４９にプランジャ５６ａを図９、図１０および図１３中のN方向へ引っ張る力を印加するための固定解除スプリングである。５０はトレイ５をフレームに挿入する際に固定ピン１１と当接することにより固定解除部材４９を固定位置に復帰するための復帰部材であり、通常は保持スプリング５３により図９および図１４に示す固定ピン１１と正確に当接する位置をセンターポジションとし、その位置からＹ方向にもその逆方向にも回動可能に取り付けられている。５３は復帰部材５０がトレイ５をフレーム２に挿入する際に固定ピン１１と正確に当接する位置に留まるよう保持する保持スプリング、５５は、後に述べるトレイ拘束開放手段の構成部材であり、かつ強制イジェクトピン５９がトレイ前面から挿入された時に強制イジェクトピン５９から被当接部５５ａへの作用力により固定解除部材４９を図１０中のＰ方向に回動させるための強制イジェクト手段と、光ディスク回転抑制部材４６を光ディスク５７の回転が抑制される方向に作用させるための回転抑制作用手段（本実施の形態３においては、光ディスク回転抑制抑制部材４６に対して光ディスク５７への押圧力を与えるための付勢力を開放する押圧力付勢開放手段でもある）とを兼ねるイジェクトレバーである。イジェクトレバー５５の長円形孔５５ｂおよびプランジャ５６ａの孔５６ｄの内部には、固定解除部材４９と一体となったリリースアーム４９ｂが嵌合して取り付けられている。また、イジェクトレバー５５の長円形孔５５ｃには、トレイ５に設けられた固定解除部材４９の回転軸４９ａと、同じくトレイ５に設けられた突起部５ｄとが嵌合して取り付けられている。これによりイジェクトレバー５５は図９中のＲ方向またはその逆方向に平行移動可能となっている。
【００６６】
図９、図１０、図１２および図１３において、光ディスク回転抑制部材４６には突起部４６ａ〜４６ｄが設けられている。突起部４６ａおよび４６ｄは溝５ａの内部に嵌合して取り付けられ、突起部４６ｂは溝５ｂの内部に嵌合して取り付けられ、突起部４６ｃは溝５ｃの内部に嵌合して取り付けられている。それらの突起部４６ａ〜４６ｄはそれぞれ、トレイ５に設けられた溝５ａ〜５ｃの内面を水平移動可能である。光ディスク回転抑制部材４６と光ディスク回転抑制部材押圧スプリング４７は突起部４６ｄで接触しており、図９、図１０、図１３、図１５および図１６中のＴ方向に付勢されている。また、固定解除部材４９はトレイ５に設けられた回転軸４９ａに回動可能な状態で取り付けられており、固定解除部材４９のリリースアーム４９ｂはラッチングソレノイド５６のプランジャ５６ａの孔５６ｄおよびイジェクトレバー５５の長円形孔５５ｃと嵌合する形で取り付けられている。
【００６７】
なお本実施の形態３において、固定解除部材４９、復帰部材５０、固定手段５１、固定手段回動（付勢）スプリング５２、保持スプリング５３、固定解除スプリング５４、ラッチングソレノイド５６およびイジェクトレバー５５は、収納位置にあるトレイ５を拘束および解放するトレイ拘束解放手段を構成している。
【００６８】
また本実施の形態３において、押圧部材である光ディスク回転抑制部材４６、光ディスク回転抑制部材押圧スプリング４７、イジェクトレバー５５およびトレイ５に設けられた溝５ａ〜５ｄはトレイ５内に設けられ、トレイ拘束解放手段のトレイ５の搬出動作に連動して光ディスク５７に押圧力を付勢するとともに、トレイ拘束解放手段のトレイの搬入動作に連動して押圧力を開放する光ディスク回転抑制手段を構成している。
【００６９】
さらに、本実施の形態３におけるイジェクトレバー５５は、強制イジェクトピン５９がトレイ前面から挿入された時に強制イジェクトピン５９から被当接部５５ａへの作用力により固定解除部材４９を図１０中のＰ方向に回動させるための強制イジェクト手段を兼ねている。従って、同じくイジェクトレバー５５を構成部材として有するトレイ拘束手段は、強制イジェクト手段を兼ねている、と言うことができる。
【００７０】
またさらに、本実施の形態３における前記光ディスク回転抑制手段は、強制イジェクト手段の構成部材でもあるイジェクトレバー５５の強制イジェクト動作に連動して前記光ディスク５７に押圧力を付勢し、イジェクトレバー５５の強制イジェクト回復動作に連動して前記光ディスクに押圧力を除去する。つまり、光ディスク回転抑制手段の構成部材でもあるイジェクトレバー５５は、光ディスク回転抑制手段を回転抑制方向に作用させるための回転抑制作用手段、すなわち光ディスク回転抑制手段に対して光ディスクへの押圧力を与えるための付勢力を開放する押圧力付勢開放手段をも兼ねている。
【００７１】
従って、強制イジェクト手段の構成部材であるイジェクトレバー５５はトレイ拘束開放手段および回転抑制作用手段（押圧力付勢手段）をも構成する部材である、ということになる。
【００７２】
以下、図９〜図１６に沿って光ディスク装置の動作を詳細に説明する。図９〜図１１において、ラッチングソレノイド５６のプランジャ５６ａは永久磁石５６ｃにより保持されており、それに伴い、嵌合している固定解除部材４９も拘束された状態である。
【００７３】
固定手段５１は固定手段回動（付勢）スプリング５２により固定ピン１１に対して付勢されており、トレイ５はフレーム内部の収納位置に拘束された状態である。この状態において、イジェクトレバー５５のフック部５５ｄはその端部５５ｅにおいて光ディスク回転抑制部材４６の突起部４６ｄと当接し、光ディスク回転抑制部材４６が図１５中の光ディスク５７に接触しない位置となるように保持しており、光ディスク回転抑制部材４６が光ディスク５７を押圧する方向、すなわち図９、図１０および図１５中のＴと逆方向に付勢力を発生する光ディスク回転抑制部材押圧スプリング４７と釣り合った状態となっている。
【００７４】
この状態において、光ディスク回転抑制部材４６が、光ディスク５７に接触してないため、光ディスク５７は、スピンドルモータ６により回転することが可能である。これにより、光ディスク５７の再生及び書き込み動作を行うことが可能となる。
【００７５】
この状態から使用者が光ディスクの装填もしくは交換を行う場合、通常はイジェクトボタン９を押すこととなる。この動作により、パーソナルコンピュータから光ディスク装置に対し、主基板１４を介してラッチングソレノイド５６に電力が供給され、コイル５６ｂに永久磁石５６ｃの磁力を打ち消す方向の磁力が発生する。
【００７６】
するとプランジャ５６ａが固定解除スプリング５４により、図９および図１０中のＳ方向に引っ張られ、合わせてリリースアーム４９ｂによりプランジャ５６ａの孔５６ｄと嵌合している固定解除部材４９がＰ方向に回動し、固定解除部材４９の嵌合部４９ｃが固定手段５１の当接部５１ｂを押すことにより図９および図１０中のＶ方向へ回動し、図１３に示すようにトレイ５の固定ピン１１への拘束が解除される。
【００７７】
これらの動作に伴い、長円形孔５５ｂにより固定解除部材４９のリリースアーム４９ｂと嵌合しているイジェクトレバー５５が図９および図１３中のＲ方向に水平移動し、それと共にイジェクトレバー５５のフック部５５ｄも図９および図１３中のＲ方向に移動する。それによって、光ディスク回転抑制部材４６が光ディスク回転抑制部材押圧スプリング４７によって図９、図１０、図１３、図１５および図１６中のＴと逆方向に水平移動し、最終的には図１３および図１６のような状態となって光ディスク回転抑制部材４６の接触部４６ｅが光ディスク５７の端面に接触し、光ディスク５７の回転を強制的に停止させる。その後、トレイ５は図示しないトレイ移動手段により、フレーム２から排出されて、光ディスク５７が着脱可能な載置位置に向かう。このとき固定ピン１１がＷと逆方向へ移動し、その途中で復帰部材５０の当接部５０ａと当接するが、復帰部材５０は保持スプリング５３によりその位置からＹ方向にもその逆方向にも回動可能に取り付けられているので、固定ピン１１が当接したときの力によりＹと逆方向に回動し固定ピン１１をＷと逆方向へと逃がして当接状態を解消した後、Ｙ方向に回動して再びそのセンターポジションである図９に示す位置へと復帰する。
【００７８】
光ディスク回転抑制部材４６の接触部４６ｅは光ディスク５７端部の接線方向に対してある角度を有し、かつその対向面が光ディスク５７端部に対し光ディスク５７の回転方向へ向かうにつれてより接近するよう設けられている。これにより、図１３および図１６の状態にある載置位置にて、光ディスク５７をトレイ５の内部のスピンドルモータ６に取り付ける際に、光ディスク５７が光ディスク回転抑制部材４６に当接した場合でも、光ディスク回転抑制部材４６は図９、図１０、図１３、図１５および図１６中のＴ方向に水平移動するため、スムーズに光ディスク５７を取り付けることが可能である。また、トレイ５をフレーム２から排出し光ディスク５７が着脱可能な載置位置に取り出す際に、異音を発生させることなく光ディスク５７の回転を停止させることが可能となる。
【００７９】
図１３および図１６の状態にある際置位置にて光ディスク５７を装着後、トレイ５をフレーム２内部に挿入する。すなわち、光ディスク装置を動作可能な状態にする場合、トレイ５がフレーム２から排出された状態では固定ピン１１は図９、図１０および図１３中の固定ピン１１ａの位置にあり、トレイ５がフレーム２内部に移動する途中で固定ピン１１ａは図９、図１０および図１３中のＷ方向へと移動しながら復帰部材５０の当接部５０ａと当接する。復帰部材５０は保持スプリング５３によりその位置からＹ方向にもその逆方向にも回動可能に取り付けられているので、固定ピン１１が図１４中の１１ｂの位置で当接したときの力によりＹ方向に回動し固定ピン１１をＷ方向へと逃がして当接状態を解消した後、Ｙと逆方向に回動して再びそのセンターポジションである図９および図１３に示す位置へと復帰する。このとき、復帰部材５０の嵌合部５０ｂが固定解除部材４９と一体となった復帰アーム４９ｄと当接し、復帰アーム４９ｄ、固定解除部材４９および固定解除部材４９と一体となったその嵌合部４９ｃを図１０中のＰと逆方向へと回動させる。それと同時に、固定解除部材４９のリリースアーム４９ｂと嵌合して取り付けられているプランジャ５６ａも合わせて図９、図１０および図１３中のＳと逆方向へ引っ張られ、永久磁石５６ｃにより固定される位置まで達する。このとき、固定ピン１１は復帰部材５０との当接状態が解除された後、位置１１ｃをＷ方向へ行き過ぎて復帰部材５０と一旦離れ、再びＷと逆方向へ戻ってくる。これらの動作において固定解除部材４９の嵌合部４９ｃの当接部５１ｂに対する付勢力が解放されるため、固定部材５１は固定手段回動（付勢）スプリング５２により図９、図１０および図１３中のＶと逆方向に回転し、固定ピン１１と位置１１ｃにおいて接触した状態となり、トレイ５の収納位置での固定が完了する。
【００８０】
これらの動作に伴い、長円形孔５５ｂにより固定解除部材４９のリリースアーム４９ｂと嵌合しているイジェクトレバー５５が図９および図１３中のＲと逆方向に水平移動し、それと共にイジェクトレバー５５のフック部５５ｄも図９および図１３中のＲと逆方向に移動する。それによって、光ディスク回転抑制部材４６が光ディスク回転抑制部材押圧スプリング４７によって図９、図１０、図１３、図１５および図１６中のＴ方向に水平移動し、最終的には図９〜１３および図１５のような状態となって光ディスク回転抑制部材４６の接触部４６ｅが光ディスク５７の端面から離れる。
【００８１】
この状態において、光ディスク回転抑制部材４６が、光ディスク５７に接触してないため、光ディスク５７は、スピンドルモータ６により回転することが可能である。これにより、光ディスク５７の再生及び書き込み動作を行うことが可能となる。
【００８２】
シーケンス的なトレイ搬入搬出の動作の途中で、不測の電源断などが発生し、トレイ５をフレーム２から取り出すことが出来なくなる操作不能状態となった際に強制的にトレイ５を取り出す場合、トレイ５の前方から強制イジェクトピン５９を、図９および図１３中の略Ｒ方向へ挿入すると、強制イジェクトピン５９は固定解除部材４９の被当接部４９ｃに当接する。そのまま、図９の状態から図１３の状態まで強制イジェクトピン５９を略Ｒ方向に押し込むことにより、イジェクトレバー５５も図９および図１３中のＲ方向に平行移動し、固定解除部材４９のリリースアーム４９ｂと嵌合して取り付けられているプランジャ５６ａも合わせて図９、図１０および図１３中のＳ方向へ引っ張られ、永久磁石５６ｃとプランジャ５６ａの間に発生する吸着力から固定解除スプリング５４の荷重を引いた力を超えたところでプランジャ５６ａの永久磁石５６ｃによる固定が解放される。そしてそれと同時に固定解除部材４９も図１０中のＰ方向に回動するため、イジェクトボタン９を押した場合と同様に、最終的には図１３および図１６のような状態となってトレイ５のフレームへの拘束が解除されることになる。
【００８３】
これらの動作に伴うイジェクトレバー５５や光ディスク回転抑制部材４６等の動作については先ほど説明したイジェクトボタン９を押した場合と同様である。また、固定解放状態から固定状態への復帰の動作についても先ほど説明したイジェクトボタン９を押した場合の動作と同様であるため、ここでは詳細な説明は割愛することとする。
【００８４】
なお、本実施の形態３において、光ディスク回転抑制部材４６は、光ディスク５７の端面に対し水平方向に移動する機構としたが、両側面に有する回転軸がトレイ５に設けられた溝に装着され、光ディスク５７の端面に対し回動する機構としても良い。
【００８５】
以上のように、トレイ内に光ディスク回転抑制手段を配置することにより９．５ｍｍ以下の高さを持ち、且つ光ディスク装置に異常が発生し、強制的に光ディスクを取り出す場合でも安全に取り出すことが出来る光ディスク装置を提供することが出来る。
【産業上の利用可能性】
【００８６】
本発明は、薄型化が要求される光ディスク装置等の用途にも適用できる。
【図面の簡単な説明】
【００８７】
【図１】本発明の実施の形態１における光ディスク装置の分解斜視図
【図２】図１の光ディスク装置の裏面側から見た分解斜視図
【図３】光ディスク回転抑制手段およびトレイ拘束解放手段の部分の拡大図
【図４】光ディスク回転抑制手段およびトレイ拘束解放手段の分解斜視図
【図５】（ａ）光ディスク回転抑制手段およびトレイ拘束解放手段の動作を説明する為の図であり、ラッチングソレノイドによりトレイが拘束された状態を示す図、（ｂ）光ディスク回転抑制手段およびトレイ拘束解放手段の動作を説明する為の図であり、ラッチングソレノイドに通電後、固定解除スプリングにより拘束が解除された状態を示す図
【図６】図５（ａ）に対応した状態の光ディスク回転抑制手段の動作を説明する図３のＸ−Ｘ線に沿う矢視断面図
【図７】図５（ｂ）に対応した状態の光ディスク回転抑制手段の動作を説明する図３のＸ−Ｘ線に沿う矢視断面図
【図８】（ａ）本発明の実施の形態２における光ディスク装置の光ディスク回転抑制手段およびトレイ拘束解放手段の動作を説明する為の図であり、ラッチングソレノイドによりトレイが拘束された状態を示す図、（ｂ）本発明の実施の形態２における光ディスク装置の光ディスク回転抑制手段およびトレイ拘束解放手段の動作を説明する為の図であり、ラッチングソレノイドに通電後、固定解除スプリングにより拘束が解除された状態を示す図
【図９】本発明の実施の形態３における光ディスク回転抑制手段およびトレイ拘束解放手段の動作を説明するための図であり、ラッチングソレノイドによりトレイが拘束された状態を示す図
【図１０】図９からイジェクトレバーを除いた図
【図１１】図１０の斜視図
【図１２】本発明の実施の形態３における光ディスク回転抑制部材の斜視図
【図１３】本発明の実施の形態３における光ディスク回転抑制手段およびトレイ拘束解放手段の動作を説明するための図であり、ラッチングソレノイドに通電後または強制イジェクト後、固定解除スプリングにより拘束が解除された状態を示す図
【図１４】本発明の実施の形態３における光ディスク回転抑制手段およびトレイ拘束解放手段の動作を説明するための図であり、トレイをフレーム内部に挿入する途中の一状態を示す図
【図１５】光ディスク回転抑制手段の動作を説明するための図であり、図９〜図１１の裏面から見た図
【図１６】光ディスク回転抑制手段の動作を説明するための図であり、図１３の裏面から見た図
【図１７】従来のドロア方式のディスク装置を示す分解斜視図
【図１８】（ａ）従来の光ディスク装置のトレイが拘束された状態を示す図、（ｂ）従来の光ディスク装置のトレイの拘束が解除された状態を示す図
【符号の説明】
【００８８】
１    アッパーカバー
２    フレーム
３    フレキシブル基板
４    レール
５    トレイ
５ａ、５ｂ、５ｃ    溝（光ディスク回転抑制手段）
５ｄ    突起部
６    スピンドルモータ
７    光ピックアップ
８    ベゼル
９    イジェクトボタン
１０    ピックアップモジュール
１１、１１ａ、１１ｂ、１１ｃ    固定ピン
１２    トレイ排出機構
１３    保護カバー
１４    電気基板（主基板）
１５    トレイカバー
１６    光ディスク回転抑制部材（押圧部材：（光ディスク回転抑制手段））
１７    光ディスク回転抑制部材押圧スプリング（光ディスク回転抑制手段）
１８    押圧スプリング固定部材（光ディスク回転抑制手段）
１９    固定解除部材（トレイ拘束解放手段）
２０    復帰部材（トレイ拘束解放手段）
２１    固定手段（トレイ拘束解放手段）
２２    固定手段回動（付勢）スプリング（トレイ拘束解放手段）
２３    保持スプリング（トレイ拘束解放手段）
２４    固定解除スプリング（トレイ拘束解放手段）
２５    強制イジェクト部材
２６    ラッチングソレノイド（トレイ拘束解放手段）
２６ａ    プランジャ
２６ｂ    コイル
２６ｃ    永久磁石
２７    光ディスク
２９    強制イジェクトピン
３０    回転規制ピン
４６    光ディスク回転抑制部材（押圧部材：（光ディスク回転抑制手段））
４６ａ、４６ｂ、４６ｃ、４６ｄ    突起部
４６ｅ    接触部
４７    光ディスク回転抑制部材押圧スプリング（光ディスク回転抑制手段）
４９    固定解除部材（トレイ拘束解放手段）
４９ａ    回転軸
４９ｂ    リリースアーム
４９ｃ    嵌合部
４９ｄ    復帰アーム
５０    復帰部材（トレイ拘束解放手段）
５０ａ    当接部
５０ｂ    嵌合部
５１    固定手段（トレイ拘束解放手段）
５１ｂ    当接部
５２    固定手段回動（付勢）スプリング（トレイ拘束解放手段）
５３    保持スプリング（トレイ拘束解放手段）
５４    固定解除スプリング（トレイ拘束解放手段）
５５    イジェクトレバー
５５ａ    被当接部
５５ｂ    長円形孔
５５ｃ    長円形孔
５５ｄ    フック部
５５ｅ    端部
５６    ラッチングソレノイド（トレイ拘束解放手段）
５６ａ    プランジャ
５６ｂ    コイル
５６ｃ    永久磁石
５６ｄ    孔
５７    光ディスク
５９    強制イジェクトピン
【図１】
0004730163.tif 000002
【図２】
0004730163.tif 000003
【図３】
0004730163.tif 000004
【図４】
0004730163.tif 000005
【図５】
0004730163.tif 000006
【図６】
0004730163.tif 000007
【図７】
0004730163.tif 000008
【図８】
0004730163.tif 000009
【図９】
0004730163.tif 000010
【図１０】
0004730163.tif 000011
【図１１】
0004730163.tif 000012
【図１２】
0004730163.tif 000013
【図１３】
0004730163.tif 000014
【図１４】
0004730163.tif 000015
【図１５】
0004730163.tif 000016
【図１６】
0004730163.tif 000017
【図１７】
0004730163.tif 000018
【図１８】
0004730163.tif 000019